(57)【要約】    【課題】  構造が簡単で、調整が便利的である運動用ヘルメットを提供する。【解決手段】  運動用ヘルメットは、かぶと体が含有され、当該かぶと体の内部には、頭を囲むように、頭径調整装置が設けられ、かぶと体の外部には、かぶと体上に固定結合されるように、回転調整ボタンが設けられ、当該回転調整ボタンと頭径調整装置との結合は、互いに可動的であり、回転調整ボタンを回転することにより、当該頭径調整装置が調整されてユーザーの頭径に合わせる。【選択図】図１
0003111327.tif 000002
【実用新案登録請求の範囲】
【請求項１】
かぶと体があり、当該かぶと体の内部に、頭を囲むように、頭径調整装置が設けられ、かぶと体の外部に、かぶと体上に固定結合されるように、回転調整ボタンが設けられ、当該回転調整ボタンと頭径調整装置との結合が、互いに可動的であり、回転調整ボタンを回転することにより、当該頭径調整装置が調整されてユーザーの頭径に合わせる、ことを特徴とする運動用ヘルメット。
【請求項２】
当該かぶと体には、貫通穴が設けられ、当該頭径調整装置は、帯状体であり、当該帯状体の両端には、開口が形成され、当該両開口には、対向する側に、それぞれ、対応する係合部が設けられ、当該回転調整ボタンには、トレー体を貫通する中軸が設けられ、当該トレー体の中央には、ギアが凸設され、組み立て時、当該ギアは、帯状体の両端にある互い対応する両開口の係合部に係合され、当該回転調整ボタンの中軸は、両開口を貫通し、これにより、回転調整ボタンと帯状体とは、互いに可動的に結合され、左へか右へ回転調整ボタンを回転する時、当該トレー体のギアにより、帯状体が締められるか弛まれることになり、当該帯状体の両端にある開口は、中軸により制限されることにより、外れることがない、ことを特徴とする請求項１に記載の運動用ヘルメット。
【請求項３】
当該トレー体は、ギアの両側に、フック部が設けられ、当該フック部の末端は、トレー体上に連接され、先端は、フック状で、トレー体との間に隙間が形成され、当該フック部の外側には、突出が設けられ、当該回転調整ボタンの内側には、トレー体のフック部に対応する位置に、突出柱が設けられ、これにより、回転調整ボタンが回転される時、当該トレー体は、突出柱に連動するフック部により、回転され、また、かぶと体の貫通穴上に単向爪車が設けられ、これにより、回転調整ボタンが回転されない時、当該フック部の突出は、単向爪車上に係止され、帯状体を固定状態に保持し、また、ある方向へ回転調整ボタンを回転する時、フック部のトレー体と連接する末端が突出柱に連動して、隙間が縮小されるため、トレー体は、フック部の突出が前へ押されることに連動して、回転され、また、他の方向へ回転調整ボタンを回転する時、フック部の先端が突出柱に連動して、隙間が縮小されるため、当該トレー体は、フック部の突出が、単向爪車の制限から外されることにより、回転される、ことを特徴とする請求項２に記載の運動用ヘルメット。
【請求項４】
当該かぶと体の内部には、更に、保護パッドが設けられ、当該頭径調整装置は、かぶと体とパッドとの間に設置され、当該パッドは、一部がかぶと体の内部に固定され、他の一部が、頭径調整装置に結合され、回転調整ボタンを回転する時、パッドは、結合される当該頭径調整装置に連動する、ことを特徴とする請求項１に記載の運動用ヘルメット。
【考案の詳細な説明】
【技術分野】
【０００１】
本考案は、運動用ヘルメットに関し、特に、構造が簡単で、調整が便利的である運動用ヘルメットに関する。
【０００２】
回転調整ボタンを回転することにより、容易に、頭径調整装置を調整してユーザーの頭径に合わせることによって、球類運動や車競技及び他の運動において、頭部の安全を保護できる。
【背景技術】
【０００３】
激しい運動や肢体接触のある運動をする時、例えば、アイススケートやインラインスケート、自転車、野球或いはホッケー等の運動において、衝突する時、体に傷を付けることが多く、特に、頭部に傷が付けられると、大変なことになる。
【０００４】
そのため、激しい運動や肢体接触のある運動をする時、頭部に傷を付けることを防止するため、頭部を保護するためのヘルメットをかぶることにより、衝突する時の衝撃力を低減し、また、一般の運動用ヘルメットの設計は、主として、ユーザーの携帯や運動時の運動性そして適当に頭部安全保護のために、軽量や振動抵抗及び振動吸収である。
【０００５】
今の市場において、運動用ヘルメットは、所定のサイズに製造され、顎にベルトを締めて調整することにより、安定的にかぶられ、そのため、ユーザーは、適当に、所定のサイズのヘルメットを選別してから、顎ベルトを調整することにより、安定的にヘルメットをかぶれるが、頬と顎は、長時間にかぶることにより、不適な感じが発生し、また、調整上には、面倒的で、外観全体が好ましくない。
【０００６】
本考案者は、上記の従来の構造の欠点を解消するため、慎重に研究開発して改良し、上記の技術の問題を解決できるものを提案する。
【考案の開示】
【考案が解決しようとする課題】
【０００７】
本考案の主な目的は、構造が簡単で、調整が便利的である運動用ヘルメットを提供する。
【課題を解決するための手段】
【０００８】
本考案は、上記の目的を達成するため、運動用ヘルメットを提供し、かぶと体があり、当該かぶと体の内部には、頭を囲むように、頭径調整装置が設けられ、かぶと体の外部には、かぶと体上に固定結合されるように、回転調整ボタンが設けられ、当該回転調整ボタンと頭径調整装置との結合は、互いに可動的であり、回転調整ボタンを回転することにより、当該頭径調整装置が調整されてユーザーの頭径に合わせる。
【考案を実施するための最良の形態】
【０００９】
以下、図面を参照しながら、実施例により本考案を詳しく説明する。
【００１０】
図１〜４を参照しながら、本考案に係わる運動用ヘルメットの一実施例であり、かぶと体1が有り、かぶと体1の内部には、頭径調整装置2が設けられ、かぶと体1の外部には、回転できるように、かぶと体1上に固定結合される回転調整ボタン3が設けられ、また、当該回転調整ボタン3により、頭径調整装置2とかぶと体1とは、可動的に結合される。
【００１１】
また、当該かぶと体1には、貫通穴11が設けられ、当該頭径調整装置2は、帯状体20であり、当該帯状体20の両端には、開口21、22が形成され、当該両開口21、22には、対向する側に、それぞれ、対応する係合部211、221が設けられ、当該回転調整ボタン3には、トレー体32を貫通する中軸31が設けられ、また、当該トレー体32の中央には、ギア321が凸設され、組み立て時、当該ギア321は、帯状体20の両端にある互いに対応する両開口21、22の係合部211、221に係合され、また、当該回転調整ボタン3の中軸31は、両開口21、22を貫通し、これにより、回転調整ボタン3と帯状体20とは、互いに可動的に結合され、左へか右へ回転調整ボタン3を回転する時、当該トレー体32のギア321により、帯状体20が締められるか弛まれることになり、また、当該帯状体20の両端にある開口21、22は、中軸31により制限されることにより、外れることがない。
【００１２】
当該トレー体32は、ギア321の両側に、フック部322が設けられ、当該フック部322の末端は、トレー体32上に連接され、先端は、フック状で、トレー体32との間に隙間323が形成され、また、当該フック部322の外側には、突出324が設けられ、当該回転調整ボタン3の内側には、トレー体32のフック部322に対応する位置に、突出柱33が設けられ、これにより、回転調整ボタン3が回転される時、当該トレー体32は、突出柱33に連動するフック部322により、回転され、また、当該かぶと体1の貫通穴11上に単向爪車111が設けられる。これにより、回転調整ボタン3が回転されない時、当該フック部322の突出324は、単向爪車111上に係止され、帯状体20を固定状態に保持し、また、ある方向へ回転調整ボタン3を回転する時、フック部322のトレー体32と連接する末端が突出柱33に連動して、隙間323が縮小されるため、トレー体32は、フック部322の突出324が前へ押されることに連動して、回転され、また、他の方向へ回転調整ボタン3を回転する時、フック部322の先端が突出柱33に連動して、隙間323が縮小されるため、当該トレー体32は、フック部322の突出324が、単向爪車111の制限から外されることにより、回転される。
【００１３】
また、当該かぶと体1の内部には、更に、保護パッド12が設けられ、当該頭径調整装置2は、かぶと体1とパッド12の間に設置され、また、当該パッド12は、一部がかぶと体1の内部に固定され、他の一部が、頭径調整装置2に結合され、そのため、左か右へ回転調整ボタン3を回転する時、帯状体20は、当該ギア321により、締められるか弛まれることになり、また、当該パッド12は、結合される当該頭径調整装置2に連動して、当該頭径調整装置2が調整されてユーザーの頭径に合わせる。
【００１４】
使用する時、図５〜８を参照しながら、ユーザーは、本考案に係わる運動用ヘルメットをかぶった後、回転調整ボタン3を回転して調整し、回転調整ボタン3を一方向へ回転する時、帯状体20の両端にある互いに対応する両開口21、22の係合部211、221に係合されるギア321が、回転調整ボタン3の突出柱33に連動し、そして、帯状体20の両端が連動されることにより、締められるか弛まれることになる。例えば、時計回りに回転調整ボタン3を回転する時、当該帯状体20の両端にある開口21、22の係合部211、221が連動され、帯状体20の両端は、互いに向かうように移動されて、締められる状態になり、逆に、反時計回りに回転調整ボタン3を回転する時、当該帯状体20の両端にある開口21、22の係合部211、221が連動され、帯状体20の両端は、互いに離れるように移動されて、弛まれる状態になる。
【００１５】
そのため、本考案に係わる運動用ヘルメットは、回転調整ボタン3と帯状体20との結合である設計により、回転調整ボタン3を回転することで、帯状体20が締められるか弛まれることになり、構造が簡単で、コストを低減するものであり、ユーザーにとって、便利的で、ユーザーの頭径の大きさを問わず、かぶと体1を頭部に安定的にかぶり、また、より安全的である。
【００１６】
以上の実施例は、ただ、本考案のより良い実施例であり、実施例による説明により、本考案の特徴や目的そして内容は、熟練者であれば、容易に分かるが、本考案の登録請求の範囲は、それによって制限されない。本考案に係わる登録請求の範囲に記載される構造や形状、特徴及び精神に従って、等価の変更や修正は、全てが、本考案の登録請求の範囲に含まれる。
【図面の簡単な説明】
【００１７】
【図１】本考案に係わる実施例の運動用ヘルメットの外観分解図
【図１Ａ】本考案に係わる実施例の運動用ヘルメットの立体外観図
【図２】本考案に係わる実施例の運動用ヘルメットの一部の外観分解図
【図３】本考案に係わる実施例の運動用ヘルメットの一部の組み立て概念図
【図４】本考案に係わる実施例の回転調整ボタンをある方向へ回転する時のトレー体と単向爪車との動作概念図
【図５】本考案に係わる実施例の回転調整ボタンを他の方向へ回転する時のトレー体と単向爪車との動作概念図
【図６】図５において回転した後のトレー体の状態概念図
【図７】本考案に係わる実施例の帯状体が締められた時の状態概念図
【図８】本考案に係わる実施例の帯状体が弛まれた時の状態概念図
【符号の説明】
【００１８】
1      かぶと体             11     貫通穴
111    単向爪車             12     パッド
2      頭径調整装置         20     帯状体
21     開口                 22     開口
221    係合部               211    係合部
3      回転調整ボタン       31     中軸
32     トレー体             321    ギア
322    フック部             323    隙間
324    突出                 33     突出柱
【図１】
0003111327.tif 000003
【図１Ａ】
0003111327.tif 000004
【図２】
0003111327.tif 000005
【図３】
0003111327.tif 000006
【図４】
0003111327.tif 000007
【図５】
0003111327.tif 000008
【図６】
0003111327.tif 000009
【図７】
0003111327.tif 000010
【図８】
0003111327.tif 000011